(57)【要約】【課題】擁壁の安定した盛り立てを行う。【解決手段】壁面パネルは、盛土７を押える押え板と、それと直交する鉛直控え板で構成する。さらに鉛直控え板の盛土７内側の端部の近くに鋼棒の貫通孔を開口する。このパネルの盛土７側にクッション材６を設置する。【選択図】図１
2006183312.tif 000002
【特許請求の範囲】
【請求項１】
盛土を行う場合に、
盛土を押える押え板と、それと直交する鉛直控え板とよりなり、かつ鉛直控え板に鋼棒の貫通孔を開口してある壁面パネルを使用し、
まず盛土の下部にコンクリート製の基礎ブロックを形成し、
この基礎ブロックの上に、前記の壁面パネルを、鉛直控え板を盛土内側に向けて搭載し、
それと前後して、下端を基礎ブロックに定着した鋼棒を、壁面パネルの鉛直控え板に開設した上下方向の貫通孔を貫通させ、
壁面パネルの盛土内側に土圧軽減のためのクッション材を設置し、
このクッション材と法面との間に現地発生土などによる盛土材を投入し盛土層を形成して行う、
盛土工法。
【請求項２】
クッション材として、
発泡スチロール、ウレタン、ウレタンスポンジ、ゴムチップなどの材料を用いて行う、
請求項１記載の、盛土工法。
【請求項３】
盛土を押える押え板と、それと直交する鉛直控え板とよりなり、かつ鉛直控え板に鋼棒の貫通孔を開口してある壁面パネルと、
下端を基礎ブロックに定着し、壁面パネルの鉛直控え板に開設した上下方向の貫通孔を貫通させた鋼棒と、
押さえ板の盛土内側に配置したクッション材と、
クッション材の盛土内側に配置した現地発生土などによる盛土材とによって構成した、
盛土の構造。
【発明の詳細な説明】
【技術分野】
【０００１】
本発明は、盛土を行う方法と、その構造に関するものである。
【背景技術】
【０００２】
道路や鉄道などの盛土構造物を構築する場合、エアモルタルを使用して盛土の重量を軽減し、簡易な構造の擁壁によって盛土を保持する構成が考えられる。
この方法によると、盛土の重量が軽減されるために、ほぼ鉛直に立てた擁壁によっても支持できるために用地幅の少なくてすむという効果もある。
【発明の開示】
【発明が解決しようとする課題】
【０００３】
しかし、上記のようなエアモルタルを使用した盛土方法にあっては、多くの利点を具えているが、エアモルタルが高価であるという経済性の問題がある。
【課題を解決するための手段】
【０００４】
上記したような課題を解決するために本発明の盛土工法は、盛土を行う場合に、盛土を押える押え板と、それと直交する鉛直控え板とよりなり、かつ鉛直控え板に鋼棒の貫通孔を開口してある壁面パネルを使用し、まず盛土の下部にコンクリート製の基礎ブロックを形成し、この基礎ブロックの上に、前記の壁面パネルを、鉛直控え板を盛土内側に向けて搭載し、それと前後して、下端を基礎ブロックに定着した鋼棒を、壁面パネルの鉛直控え板に開設した上下方向の貫通孔を貫通させ、壁面パネルの盛土内側に土圧軽減のためのクッション材を設置し、このクッション材と法面との間に現地発生土などによる盛土材を投入し盛土層を形成して行う、盛土工法を特徴とするものである。
【０００５】
また、本発明の盛土の構造は、盛土を押える押え板と、それと直交する鉛直控え板とよりなり、かつ鉛直控え板に鋼棒の貫通孔を開口してある壁面パネルと、下端を基礎ブロックに定着し、壁面パネルの鉛直控え板に開設した上下方向の貫通孔を貫通させた鋼棒と、押さえ板の盛土内側に配置したクッション材と、クッション材の盛土内側に配置した現地発生土などによる盛土材とによって構成した
盛土の構造を特徴としたものである。
【発明の効果】
【０００６】
本発明の盛土の施工方法と盛土の構造は以上説明したようになるから、次のような効果を得ることができる。
＜１＞  壁面パネルの盛土内側に土圧軽減のためのクッション材を配置し、このクッション材と法面との間に現地発生土などによる盛土材を投入し盛土層を形成するから、土圧を軽減できるので、簡易な構造の擁壁によって盛土を支持することができる。
＜２＞  しかも盛土の主要部には比較的高価なエアモルタルを使用せず、現地発生土を使用することができるから経済的である。
＜３＞  下端を基礎ブロックに定着した鋼棒によって、壁面パネルを支持するから、簡易な構造のパネルによって土圧を支持することができる。
＜４＞  さらに簡易で軽量なパネルによって土圧を支持できるから、経済的な工事費によって施工することができる。
【発明を実施するための最良の形態】
【０００７】
以下図面を参照しながら、本発明に係る盛土工法と盛土の構造の実施の形態について説明する。
【０００８】
＜１＞壁面パネルの構造。
本発明の拡幅方法で使用する壁面パネル１の構造について説明する。
この壁面パネル１は、後述する現地発生土による盛土７を支持するためのコンクリート製の板体である。
特に、フライアッシュを用いて軽量化したプレキャストコンクリート製の壁面パネル１を使用すると取り扱いが便利で作業効率を向上させることができる。
そして、この壁面パネル１は、押え板１１と、それと直交する鉛直控え板１２とによって構成する。
【０００９】
＜２＞押え板１１。
押え板１１は、盛土７の土圧を受けて土砂の崩壊を押える板である。ただし本発明の場合には押さえ板１１と盛土７の間には後述するようにクッション材６が介在している。
この押え板１１は取り扱いに便利な縦、横の寸法と、所定の強度を得られる厚さを有し、その外側面には、各種の模様を形成することもできる。
【００１０】
＜３＞控え板１２。
鉛直控え板１２は、押え板１１と直交する方向に向けて形成した板であり、押さえ板１１の盛土側に、鉛直に取り付ける。
控え板１２は押え板１１の転倒を防止するための部材であり、そのために一定の距離だけ盛土７の内側に向けて延長した長さを有する。
図の実施例では１枚の押え板１１に対して１枚の控え板１２を突設した構造であるが、押え板１１の盛土７内側に２枚以上の複数枚の控え板１２を取り付けることもできる。
【００１１】
＜４＞貫通孔１２ａ。
この鉛直控え板１２、および押え板１１には鉛直方向の貫通孔１２ａを開口する。図の実施例では３本の貫通孔１２ａを貫通させているが、その数に限定されるものではない。しかし複数本の内の１本は、できるだけ、盛土７の内側に貫通して設けることが好ましい。
この貫通孔１２ａは、後述する鋼棒を貫通するための孔である。
【００１２】
＜５＞施工方法。
次に法面Ｓに接して盛土７を行い、その上部の水平面を道路などとして利用する場合について説明する。ただし本発明の方法、構造は、法面Ｓに接して構築する場合に限らず、平地に盛土７を行う場合のように、両側をパネル１で被覆した盛土構造に採用することもできる。
【００１３】
＜６＞法面Ｓへのモルタルの吹き付け。
まず、道路用の盛土７を行う予定の法面Ｓへ、モルタル２を一定の厚さで吹付けて、吹き付けモルタル２の層を形成する。
モルタルの吹き付けは、公知の吹き付け工法を使用できる。
法面Ｓに湧水がある場合には、モルタル２の吹き付けに先立って、法面Ｓの表面に多孔質の排水パイプを敷設しておき、湧水を盛土７のパネルの外まで誘導して排水する。
【００１４】
＜７＞せん断防止ボルトの打設。
吹き付けモルタル２層の形成の前、あるいはその後に、法面Ｓに複数本のせん断防止ボルトを打設する。この打設工事も、公知の方法を利用して行うことができる。（図示せず）
法面Ｓにせん断ボルトを打設しておくことによって、法面Ｓと盛土７との境面におけるせん断を阻止して、盛土７と法面Ｓとの一体化を図ることができる。
なお、せん断防止ボルトは、初期に前部を打設するだけでなく、盛土７の高さが上昇するのに応じて、打設できる範囲に対して行ってもよい。
【００１５】
＜８＞基礎ブロック４の構築。
パネル１を設置する基礎の部分の地盤を掘削する。
掘削部分にコンクリートを打設し、あるいはプレキャストコンクリートによって基礎ブロック４を形成する。
この基礎ブロック４の内部には、反力を得るために、反力用アンカーを打設して固定しておく。
このアンカーとは別に、基礎ブロック４にはＰＣ鋼棒５の下端を埋設して固定する。
このＰＣ鋼棒５の下端は、パネルの鉛直控え板１２に開口した貫通孔１２ａに相当する位置に、上向きに設置する。
このＰＣ鋼棒５は、最初にあまり長いものを設置すると、壁面パネル１を貫通する作業が困難になる。
そこで適当な長さのものを上向きに設置し、パネル１の積み上げに応じて順次延長してゆく。
そのために、例えば鋼棒５の上端にネジを形成し、ナットを介して順次上方向に長く延長してゆく構成を採用することができる。
ＰＣ鋼棒５以外にも、ネジ付き異径鋼棒、ＰＣ鋼線など、プレストレスを付与することができる材料を使用でき、鋼線の場合には余分の長さは折り曲げて使用することができる。
【００１６】
＜９＞最下段の壁面パネル１の固定。
基礎ブロック４の上に、まず最下段の壁面パネル１を立てる。
この壁面パネル１は、前記したように押え板１１と鉛直控え板１２とによって形成した、コンクリート製の板体である。
このように壁面パネル１は、押え板１１の盛土７内側に鉛直控え板１２が延長しているから、基礎ブロック４の上に単に立てただけでも転倒することはない。
【００１７】
＜１０＞鋼棒５の貫通。
前記したように、壁面パネル１の控え板１２の盛土７側には上下方向に貫通孔１２ａが開口してある。
そこでこの貫通孔１２ａ内に、基礎ブロック４に一端を固定したＰＣ鋼棒５の上端を貫通させる。
そして、壁面パネル１の上縁の位置でボルトを締め付ける。
こうして最下段の壁面パネル１を鉛直の姿勢で固定し自立させる。
ＰＣ鋼棒５を締め付けることによって、その緊張力が壁面パネル１の鉛直控え板１２にプレストレスを与え、プレストレスコンクリート版として機能させることができる。
その結果、壁面パネル１は引っ張り力に対抗できることになり、薄い材料で形成することができる。
なお、鋼棒５はパネル１段ごとに締め付けるのではなく、最上段のパネルの貫通孔１２ａから露出した鋼棒５の端を締め付ける工法を採用することもできる。
このように、鉛直控え板１２の盛土７内側の端部の近く、すなわち壁面パネル１の押え板１１から離れた位置に鋼棒５の貫通孔１２ａを開口してあり、この貫通孔１２ａに鋼棒５を貫通して緊張する構成である。
したがって本発明の壁面パネル１は盛土７を押える押え板１１から十分に離れた位置でパネルの回転を抑えることができる。そのために安定した擁壁を確保することができる。
【００１８】
＜１１＞クッション材６の設置。
本発明においては、特に壁面パネル１の盛土７側には、土圧軽減のためのクッション材６を設置する。
このクッション材６としては、例えば発泡スチロール、ウレタン、ウレタンスポンジ、ゴムチップなどの材料を使用することができる。
壁面パネル１の盛土７側クッション材６を配置することによって、パネル１と盛土７との間にクッション材６が介在することになる。
パネル１と盛土７の間にクッション材６が介在することにより、土の変形作用により静止土圧を主動土圧に変化させることができる。
【００１９】
＜１２＞盛土７。
最下段の壁面パネル１の内側に設置したクッション材６と、法面Ｓとの間に、ほぼ水平面を維持させて最下層の盛土７層を形成する。
盛土７は、現地発生土など、通常の土砂を使用する。
盛土７のために、エアモルタルのような特殊な材料を使用しないから、盛土構造物を経済的に構築することができる。
一層の盛土７層の高さが、所定の高さまで達したら、転圧して締め固める。
盛土７の締固めの場合には、振動ローラーやタンパーなどを使用するが、従来の構造物であると、振動ローラーなどを盛土とパネルの境界まで接近させるとパネルを破壊してしまう心配がある。
しかし本発明の構造ではパネル１と盛土７の間にはクッション材６が介在している。
そのためにパネル１を破壊する心配をせずに盛土７の先端まで十分に締め固めることができる。
なお、盛土７層の内部に、水平方向に引張抵抗材を敷設すれば、さらに安定した盛土７層を得ることができる。
この引張抵抗材としては防錆処理した金網、合成樹脂や繊維製のシートや網材などを使用できる。
【００２０】
＜１２＞壁面パネル１の連結。
最下段の壁面パネル１の上縁に、２段目の壁面パネル１を搭載する。
その際に鉛直控え板１２の端部近くに開口した貫通孔１２ａにＰＣ鋼棒５を貫通する。
鋼棒５が短ければ前述したように、各種の継手で延長した後に、鋼棒５を貫通孔１２ａに貫通する。
貫通したＰＣ鋼棒５の上端のネジ山にナットを取り付けて強く締め付けることによって、壁面パネル１を自立させ、かつプレストレスを与えることができる。
【００２１】
＜１３＞２段目のクッション材の設置。
上記した２段目の壁面パネル１の後方、すなわち盛土側に、２段目のクッション材６を設置する。
このクッション材６は、壁面パネル１のように上下方向に連結する必要はなく、各層で独立していてもその目的を達成できる。
【００２２】
＜１４＞第２層の盛土。
第２段目の壁面パネル１と２段目のクッション材６の後方に、下層の盛土７層の上に、第２層の盛土７層の形成を行う。
こうして、パネル１の上方への連結とクッション材６を介在させた盛土７層の形成を繰り返して、最上段までの盛土７を完成する。
【００２３】
＜１５＞鋼棒５の緊張。
各段のパネル１ごとに鋼棒５、鋼棒を緊張する場合以外に、上端で一度に緊張する方法を採用することもできる。
その場合には、最上段パネルから鋼棒５の上端を露出させ、その露出端にセンターホールジャッキを取り付けて鋼棒５の全長を同意に緊張させる。あるいはＰＣ鋼線を使用して同様に最上段から緊張することもできる。
鋼棒５、鋼線は、鉛直控え板１２の盛土７内側の端部の近くに開口した貫通孔１２ａを通して設置してある。
この鋼棒５、鋼線を貫通して緊張するのであるから、盛土７を押える押え板１１から十分に離れた位置で盛土７の圧力によるパネルの回転を抑えることができる。そのために安定した擁壁を確保することができる。
【００２４】
＜１６＞アンカーの打設。
法面Ｓの内部の地山の挙動に応じて、必要な場合にはアンカーを打設する。
このアンカーは壁面パネル１の外側から、地山へ向けて行い、地山内のすべり面よりも深い位置まで削孔してアンカーを挿入して緊張して固定する。
このアンカーの打設方法や緊張方法、固定方法など多数の公知の方法が存在するから、その中から最適な方法を選択して採用する。
こうして盛土７３などの軽量な材料の層を積み上げた道路が完成する。
【００２５】
＜１７＞他の構成。
以上は、法面に接して盛土７を行う場合について説明したが、平面状の田んぼや平地に盛土７をして道路を通す場合のように、両側にパネルと立て、その内部に盛土７を行う場合にも採用することができる。
【図面の簡単な説明】
【００２６】
【図１】本発明の壁面パネルの盛土７側にクッション材６を設置した状態を示す説明図。
【図２】パネルとクッション材を積み重ねる施工状態の説明図。
【図３】パネルとクッション材を積み重ねる施工状態の説明図。
【図４】パネルとクッション材を積み重ねる施工状態の説明図。
【図５】パネルとクッション材を積み重ねる施工状態の説明図。
【図６】パネルとクッション材を積み重ねる施工状態の説明図。
【符号の説明】
【００２７】
１：壁面パネル
１１：押え板
１２：鉛直控え板
５：ＰＣ鋼棒
６：クッション材
７：盛土
【図１】
2006183312.tif 000003
【図２】
2006183312.tif 000004
【図３】
2006183312.tif 000005
【図４】
2006183312.tif 000006
【図５】
2006183312.tif 000007
【図６】
2006183312.tif 000008